(57)【特許請求の範囲】
【請求項１】
大気から吸熱して熱媒を加熱するヒートポンプと、
熱媒を貯めるタンクと、
前記ヒートポンプと前記タンクの間で熱媒を循環させる蓄熱循環経路と、
熱媒を放熱させて暖房を行う暖房端末と、
前記タンクと前記暖房端末の間で熱媒を循環させる暖房循環経路と、
前記ヒートポンプの発停に関連する条件を満たすか否かを判断する条件判断手段と、
前記ヒートポンプの発停に関連する前記条件を満たすと判断された場合に、前記タンクの蓄熱量を増加させる蓄熱量増加手段と、
前記ヒートポンプから前記タンクへ送られる熱媒の温度を検出する沸上温度サーミスタを備えており、
前記ヒートポンプが運転している間、前記沸上温度サーミスタで検出される温度が沸上設定温度に近づくように、前記ヒートポンプの動作が制御されており、
前記蓄熱量増加手段が、前記沸上設定温度をより高い温度へ変更することで、前記タンクの蓄熱量を増加させる暖房装置。
【請求項２】
大気から吸熱して熱媒を加熱するヒートポンプと、
熱媒を貯めるタンクと、
前記ヒートポンプと前記タンクの間で熱媒を循環させる蓄熱循環経路と、
熱媒を放熱させて暖房を行う暖房端末と、
前記タンクと前記暖房端末の間で熱媒を循環させる暖房循環経路と、
前記ヒートポンプの発停に関連する条件を満たすか否かを判断する条件判断手段と、
前記ヒートポンプの発停に関連する前記条件を満たすと判断された場合に、前記タンクの蓄熱量を増加させる蓄熱量増加手段と、
前記タンクの内部の熱媒の温度を検出する、互いに異なる高さに配置された複数のタンクサーミスタを備えており、
前記ヒートポンプが運転している際に、基準とするタンクサーミスタで検出される温度が沸上完了温度に達すると前記ヒートポンプの運転を停止するように、前記ヒートポンプの動作が制御されており、
前記蓄熱量増加手段が、前記基準とするタンクサーミスタを、前記タンクのより下方に配置されたタンクサーミスタに切り替えることで、前記タンクの蓄熱量を増加させる暖房装置。
【請求項３】
大気から吸熱して熱媒を加熱するヒートポンプと、
熱媒を貯めるタンクと、
前記ヒートポンプと前記タンクの間で熱媒を循環させる蓄熱循環経路と、
熱媒を放熱させて暖房を行う暖房端末と、
前記タンクと前記暖房端末の間で熱媒を循環させる暖房循環経路と、
前記ヒートポンプの発停に関連する条件を満たすか否かを判断する条件判断手段と、
前記ヒートポンプの発停に関連する前記条件を満たすと判断された場合に、前記タンクの蓄熱量を増加させる蓄熱量増加手段を備えており、
前記ヒートポンプの発停に関連する前記条件が、
（１）単位期間内での前記ヒートポンプの始動回数が所定回数に達するという条件、
（２）前記ヒートポンプの始動から停止までの時間が第１所定期間以下であるという条件、
（３）前記ヒートポンプの始動から停止を経て再び始動するまでの時間が第２所定期間以下であるという条件、
（４）過去の単位期間における前記ヒートポンプの始動回数の合計が所定回数以上であるという条件、あるいは
（５）前記タンクの蓄熱量を増加させた場合の予測される前記ヒートポンプの発停状況に基づいて算出されるエネルギー損失が、前記タンクの蓄熱量を増加させない場合の予測される前記ヒートポンプの発停状況に基づいて算出されるエネルギー損失より小さいという条件である暖房装置。
【請求項４】
大気から吸熱して水を加熱するヒートポンプと、
水を貯めるタンクと、
前記ヒートポンプと前記タンクの間で水を循環させる蓄熱循環経路と、
前記タンクに給水する給水経路と、
前記タンクから給湯する給湯経路と、
前記ヒートポンプの発停に関連する条件を満たすか否かを判断する条件判断手段と、
前記ヒートポンプの発停に関連する前記条件を満たすと判断された場合に、前記タンクの蓄熱量を増加させる蓄熱量増加手段と、
前記ヒートポンプから前記タンクへ送られる水の温度を検出する沸上温度サーミスタを備えており、
前記ヒートポンプが運転している間、前記沸上温度サーミスタで検出される温度が沸上設定温度に近づくように、前記ヒートポンプの動作が制御されており、
前記蓄熱量増加手段が、前記沸上設定温度をより高い温度へ変更することで、前記タンクの蓄熱量を増加させる給湯装置。
【請求項５】
大気から吸熱して水を加熱するヒートポンプと、
水を貯めるタンクと、
前記ヒートポンプと前記タンクの間で水を循環させる蓄熱循環経路と、
前記タンクに給水する給水経路と、
前記タンクから給湯する給湯経路と、
前記ヒートポンプの発停に関連する条件を満たすか否かを判断する条件判断手段と、
前記ヒートポンプの発停に関連する前記条件を満たすと判断された場合に、前記タンクの蓄熱量を増加させる蓄熱量増加手段と、
前記タンクの内部の水の温度を検出する、互いに異なる高さに配置された複数のタンクサーミスタを備えており、
前記ヒートポンプが運転している際に、基準とするタンクサーミスタで検出される温度が沸上完了温度に達すると前記ヒートポンプの運転を停止するように、前記ヒートポンプの動作が制御されており、
前記蓄熱量増加手段が、前記基準とするタンクサーミスタを、前記タンクのより下方に配置されたタンクサーミスタに切り替えることで、前記タンクの蓄熱量を増加させる給湯装置。
【請求項６】
大気から吸熱して水を加熱するヒートポンプと、
水を貯めるタンクと、
前記ヒートポンプと前記タンクの間で水を循環させる蓄熱循環経路と、
前記タンクに給水する給水経路と、
前記タンクから給湯する給湯経路と、
前記ヒートポンプの発停に関連する条件を満たすか否かを判断する条件判断手段と、
前記ヒートポンプの発停に関連する前記条件を満たすと判断された場合に、前記タンクの蓄熱量を増加させる蓄熱量増加手段を備えており、
前記ヒートポンプの発停に関連する前記条件が、
（１）単位期間内での前記ヒートポンプの始動回数が所定回数に達するという条件、
（２）前記ヒートポンプの始動から停止までの時間が第１所定期間以下であるという条件、
（３）前記ヒートポンプの始動から停止を経て再び始動するまでの時間が第２所定期間以下であるという条件、
（４）過去の単位期間における前記ヒートポンプの始動回数の合計が所定回数以上であるという条件、あるいは
（５）前記タンクの蓄熱量を増加させた場合の予測される前記ヒートポンプの発停状況に基づいて算出されるエネルギー損失が、前記タンクの蓄熱量を増加させない場合の予測される前記ヒートポンプの発停状況に基づいて算出されるエネルギー損失より小さいという条件である給湯装置。
【発明の詳細な説明】
【技術分野】
【０００１】
本発明は、暖房装置および給湯装置に関する。
【背景技術】
【０００２】
特許文献１に、暖房装置が開示されている。この暖房装置は、大気から吸熱して熱媒を加熱するヒートポンプと、熱媒を貯めるタンクと、熱媒を放熱させて暖房を行う暖房端末を備えている。ヒートポンプとタンクの間は、熱媒を循環させる蓄熱用の循環経路によって接続されている。タンクと暖房端末の間は、熱媒を循環させる暖房用の循環経路によって接続されている。
【先行技術文献】
【特許文献】
【０００３】
【特許文献１】特開２００３−２４０３４１号公報
【発明の概要】
【発明が解決しようとする課題】
【０００４】
暖房端末での放熱量とヒートポンプでの加熱量の状況によっては、ヒートポンプが始動と停止を繰り返す事態が生じることがある。ヒートポンプの始動と停止を頻繁に繰り返すと、ヒートポンプを構成する部品の劣化を早めてしまう。
【０００５】
また、大気から吸熱するヒートポンプを利用して水を加熱し、加熱された水をタンクに貯めておいて、必要に応じてタンクから給湯する給湯装置においても、上記と同様の問題が生じる。この場合にも、ヒートポンプの始動と停止を頻繁に繰り返すと、ヒートポンプを構成する部品の劣化を早めてしまう。
【０００６】
本明細書は、上記の課題を解決する技術を提供する。本明細書では、大気から吸熱するヒートポンプを熱源として利用する暖房装置や給湯装置において、ヒートポンプを構成する部品の劣化を防ぐことが可能な技術を提供する。
【課題を解決するための手段】
【０００７】
本明細書が開示する暖房装置は、大気から吸熱して熱媒を加熱するヒートポンプと、熱媒を貯めるタンクと、前記ヒートポンプと前記タンクの間で熱媒を循環させる蓄熱循環経路と、熱媒を放熱させて暖房を行う暖房端末と、前記タンクと前記暖房端末の間で熱媒を循環させる暖房循環経路と、前記ヒートポンプの発停に関連する条件を満たすか否かを判断する条件判断手段と、前記ヒートポンプの発停に関連する前記条件を満たすと判断された場合に、前記タンクの蓄熱量を増加させる蓄熱量増加手段を備えている。
【０００８】
上記の暖房装置では、ヒートポンプの発停に関連する条件が満たされた場合に、蓄熱量増加手段によってタンクの蓄熱量を増加させることによって、その後にヒートポンプを停止させてから再び始動させるまでの時間を長くすることができる。これによって、ヒートポンプが頻繁に発停を繰り返す事態を防止し、ヒートポンプを構成する部品の劣化を防ぐことができる。
【０００９】
上記のような暖房装置は、前記ヒートポンプから前記タンクへ送られる熱媒の温度を検出する沸上温度サーミスタをさらに備えており、前記ヒートポンプが運転している間、前記沸上温度サーミスタで検出される温度が沸上設定温度に近づくように、前記ヒートポンプの動作が制御されることがある。このような暖房装置においては、前記蓄熱量増加手段が、前記沸上設定温度をより高い温度へ変更することで、前記タンクの蓄熱量を増加させるように構成することができる。
【００１０】
上記の暖房装置によれば、簡易な制御の切換えによって、タンクの蓄熱量の増加を実現することができる。
【００１１】
あるいは、上記のような暖房装置は、前記タンクの内部の熱媒の温度を検出する、互いに異なる高さに配置された複数のタンクサーミスタをさらに備えており、前記ヒートポンプが運転している際に、基準とするタンクサーミスタで検出される温度が沸上完了温度に達すると前記ヒートポンプの運転を停止するように、前記ヒートポンプの動作が制御されることがある。このような暖房装置においては、前記蓄熱量増加手段が、前記基準とするタンクサーミスタを、前記タンクのより下方に配置されたタンクサーミスタに切り替えることで、前記タンクの蓄熱量を増加させるように構成することができる。
【００１２】
上記の暖房装置によれば、簡易な制御の切換えによって、タンクの蓄熱量の増加を実現することができる。
【００１３】
上記の暖房装置は、前記ヒートポンプの発停に関連する条件として、様々なものを用いることができる。例えば、前記ヒートポンプの発停に関連する条件として、単位期間内での前記ヒートポンプの始動回数が所定回数に達するという条件を用いることができる。あるいは、前記ヒートポンプの発停に関連する条件として、前記ヒートポンプの始動から停止までの時間が第１所定期間以下であるという条件を用いることができる。あるいは、前記ヒートポンプの発停に関連する条件として、前記ヒートポンプの始動から停止を経て再び始動するまでの時間が第２所定期間以下であるという条件を用いることができる。あるいは、前記ヒートポンプの発停に関連する条件として、過去の単位期間における前記ヒートポンプの始動回数の合計が所定回数以上であるという条件を用いることができる。
【００１４】
上記した条件は、何れも、その後にヒートポンプが頻繁な発停を繰り返すおそれがあることを示唆している。従って、これらの条件が満たされるときに、タンクの蓄熱量を増加させるように構成することで、ヒートポンプが頻繁に発停を繰り返す事態を防止し、ヒートポンプを構成する部品の劣化を防ぐことができる。
【００１５】
あるいは、前記ヒートポンプの発停に関連する条件として、前記タンクの蓄熱量を増加させた場合の予測される前記ヒートポンプの発停状況に基づいて算出されるエネルギー損失が、前記タンクの蓄熱量を増加させない場合の予測される前記ヒートポンプの発停状況に基づいて算出されるエネルギー損失より小さいという条件を用いることもできる。
【００１６】
タンクの蓄熱量を増加させてヒートポンプの発停回数を減少させると、ヒートポンプの始動に起因するエネルギー損失は減少するものの、タンクからの放熱に起因するエネルギー損失や、ヒートポンプの運転に起因するエネルギー損失は増大する傾向がある。上記の条件を用いることで、トータルのエネルギー損失を少なくする観点から、タンクの蓄熱量を増加させてヒートポンプの発停回数を減少させるか否かを判断することができる。
【００１７】
本明細書は給湯装置も開示する。その給湯装置は、大気から吸熱して水を加熱するヒートポンプと、水を貯めるタンクと、前記ヒートポンプと前記タンクの間で水を循環させる蓄熱循環経路と、前記タンクに給水する給水経路と、前記タンクから給湯する給湯経路と、前記ヒートポンプの発停に関連する条件を満たすか否かを判断する条件判断手段と、前記ヒートポンプの発停に関連する前記条件を満たすと判断された場合に、前記タンクの蓄熱量を増加させる蓄熱量増加手段を備えている。
【００１８】
上記の給湯装置では、ヒートポンプの発停に関連する条件が満たされた場合に、蓄熱量増加手段によってタンクの蓄熱量を増加させることによって、その後にヒートポンプを停止させてから再び始動させるまでの時間を長くすることができる。これによって、ヒートポンプが頻繁に発停を繰り返す事態を防止し、ヒートポンプを構成する部品の劣化を防ぐことができる。
上記のような給湯装置は、前記ヒートポンプから前記タンクへ送られる水の温度を検出する沸上温度サーミスタをさらに備えており、前記ヒートポンプが運転している間、前記沸上温度サーミスタで検出される温度が沸上設定温度に近づくように、前記ヒートポンプの動作が制御されることがある。このような給湯装置においては、前記蓄熱量増加手段が、前記沸上設定温度をより高い温度へ変更することで、前記タンクの蓄熱量を増加させるように構成することができる。
あるいは、上記のような給湯装置は、前記タンクの内部の水の温度を検出する、互いに異なる高さに配置された複数のタンクサーミスタをさらに備えており、前記ヒートポンプが運転している際に、基準とするタンクサーミスタで検出される温度が沸上完了温度に達すると前記ヒートポンプの運転を停止するように、前記ヒートポンプの動作が制御されることがある。このような給湯装置においては、前記蓄熱量増加手段が、前記基準とするタンクサーミスタを、前記タンクのより下方に配置されたタンクサーミスタに切り替えることで、前記タンクの蓄熱量を増加させるように構成することができる。
上記の給湯装置は、前記ヒートポンプの発停に関連する条件として、様々なものを用いることができる。例えば、前記ヒートポンプの発停に関連する条件として、単位期間内での前記ヒートポンプの始動回数が所定回数に達するという条件を用いることができる。あるいは、前記ヒートポンプの発停に関連する条件として、前記ヒートポンプの始動から停止までの時間が第１所定期間以下であるという条件を用いることができる。あるいは、前記ヒートポンプの発停に関連する条件として、前記ヒートポンプの始動から停止を経て再び始動するまでの時間が第２所定期間以下であるという条件を用いることができる。あるいは、前記ヒートポンプの発停に関連する条件として、過去の単位期間における前記ヒートポンプの始動回数の合計が所定回数以上であるという条件を用いることができる。あるいは、前記ヒートポンプの発停に関連する条件として、前記タンクの蓄熱量を増加させた場合の予測される前記ヒートポンプの発停状況に基づいて算出されるエネルギー損失が、前記タンクの蓄熱量を増加させない場合の予測される前記ヒートポンプの発停状況に基づいて算出されるエネルギー損失より小さいという条件を用いることもできる。
【図面の簡単な説明】
【００１９】
【図１】第１実施例の給湯暖房システム１０の構成を模式的に示す図である。
【図２】ヒートポンプユニット２０を運転しながら暖房を行うときの熱媒の流れを示す図である。
【図３】暖房端末９０の要求する熱媒の温度に対して、タンク３０から暖房用往路５６に送られる熱媒の温度が高い場合の熱媒の流れを示す図である。
【図４】暖房端末９０の要求する熱媒の温度に対して、タンク３０から暖房用往路５６に送られる熱媒の温度が低い場合の熱媒の流れを示す図である。
【図５】ヒートポンプユニット２０の始動回数を低減させる処理のフローチャートである。
【図６】第２実施例の給湯暖房システム１００の構成を模式的に示す図である。
【発明を実施するための形態】
【００２０】
本発明の一実施形態では、暖房用の熱媒に、水又は不凍液を用いることが好ましい。
【００２１】
本発明の一実施形態では、暖房用の熱媒または給湯用の水を加熱する補助熱源機として、可燃性ガス等の燃料を燃焼する燃焼装置を用いることが好ましい。
【実施例】
【００２２】
（第１実施例）
本発明の実施例について、図面を参照しながら説明する。図１は、第１実施例の給湯暖房システム１０を示している。図１に示すように、給湯暖房システム１０は、ヒートポンプユニット２０と、タンクユニット２８と、給湯暖房ユニット８０と、暖房端末９０を備えている。
【００２３】
ヒートポンプユニット２０は、大気から吸熱して、タンクユニット２８から送られる熱媒を加熱するヒートポンプである。ヒートポンプユニット２０は、図示省略するが、圧縮機、放熱器、膨張弁、蒸発器と、それらを順に接続する冷媒循環経路を備えている。その他、蒸発器に送風するファンや、それを駆動するモータ等も設けられている。冷媒循環経路内には、冷媒である二酸化炭素が充填されている。ヒートポンプユニット２０の詳細については、公知のものと同じであるので、ここでは説明を省略する。また、ヒートポンプユニット２０には、ヒートポンプユニット２０とタンクユニット２８との間で熱媒を循環させる循環ポンプ２２が設けられている。循環ポンプ２２を含むヒートポンプユニット２０の構成機器の動作は、コントローラ２１によって制御される。また、ヒートポンプユニット２０には、外気温度を検出する外気温サーミスタ２６が設けられている。外気温サーミスタ２６は、コントローラ２１に接続されている。
【００２４】
タンクユニット２８は、熱媒を貯めるタンク３０を備えている。本実施例の熱媒は、不凍液である。本実施例のタンク３０は、一例であるが、３０リットルの容量を有している。タンク３０には、高さ方向に沿って複数のタンクサーミスタ４２ａ、４２ｂ、４２ｃが設けられている。本実施例では、タンクサーミスタ４２ａはタンク３０の上部（例えばタンク３０の頂部から１０リットルの位置）に設けられており、タンクサーミスタ４２ｂはタンク３０の中間部（例えばタンク３０の頂部から１５リットルの位置）に設けられており、タンクサーミスタ４２ｃはタンク３０の下部（例えばタンク３０の頂部から２０リットルの位置）に設けられている。タンクサーミスタ４２ａ、４２ｂ、４２ｃは、コントローラ５４に接続されている。コントローラ５４は、タンクサーミスタ４２ａ、４２ｂ、４２ｃによって検出された温度から、タンク３０に貯められた熱量を把握することができる。なお、タンク３０内の熱媒の温度を検出するサーミスタは、上記の３つに限定されるものではなく、４つ以上設けられていても良いし、タンク３０の上部と下部に２つ設けられていても良い。また、コントローラ５４は、ヒートポンプユニット２０の始動回数をカウントするカウンタを備えている。
【００２５】
タンク３０は、蓄熱用往路３４と蓄熱用復路３２を介して、ヒートポンプユニット２０に接続されている。蓄熱用往路３４は、タンク３０からヒートポンプユニット２０へ熱媒を送る管路であり、タンク３０の底部に接続されている。蓄熱用復路３２は、ヒートポンプユニット２０からタンク３０へ熱媒を戻す管路であり、タンク３０の頂部に接続されている。蓄熱用往路３４と蓄熱用復路３２は、ヒートポンプユニット２０とタンク３０との間で熱媒を循環させる循環経路を構成している。当該循環経路には、前述した循環ポンプ２２が設けられている。本実施例の循環ポンプ２２は、ヒートポンプユニット２０に内蔵されているが、循環ポンプ２２の位置は特に限定されず、例えばタンクユニット２８内に設けられていてもよい。
【００２６】
蓄熱用往路３４には、手動弁２４と、蓄熱往路サーミスタ４４が設けられている。同様に、蓄熱用復路３２にも、手動弁２４と、蓄熱復路サーミスタ４６が設けられている。蓄熱往路サーミスタ４４と蓄熱復路サーミスタ４６は、コントローラ５４に接続されている。コントローラ５４は、蓄熱往路サーミスタ４４による検出温度から、ヒートポンプユニット２０による加熱前の熱媒の温度を把握し、蓄熱復路サーミスタ４６による検出温度から、ヒートポンプユニット２０による加熱後の熱媒の温度を把握することができる。蓄熱復路サーミスタ４６は、ヒートポンプユニット２０による沸上温度を検出する沸上温度サーミスタということもできる。
【００２７】
暖房端末９０は、タンク３０からの熱媒を放熱させて暖房を行う。暖房端末９０は、例えば、パネルヒータ、パネルラジエータ、床暖房、ファンコンベクタ、温水式ルームエアコンである。暖房端末９０は、暖房用往路５６と暖房用復路６０を介して、タンク３０に接続されている。暖房用往路５６は、タンク３０から暖房端末９０へ熱媒を送る管路であり、タンク３０の頂部に接続されている。暖房用復路６０は、暖房端末９０からタンク３０へ熱媒を戻す管路であり、タンク３０の底部に接続されている。暖房用往路５６と暖房用復路６０は、タンク３０と暖房端末９０との間で熱媒を循環させる循環経路を構成している。
【００２８】
暖房用復路６０には、手動弁５２を有する排水管５０が接続されている。また、暖房用復路６０には、膨張タンク７０が設けられている。本実施例では、熱媒の循環する回路が密閉回路とされているので、熱媒の熱膨張を吸収するために、膨張タンク７０が用意されている。なお、膨張タンク７０を接続する位置は、暖房用復路６０に限定されず、例えば暖房用往路５６や他の経路に接続してもよい。
【００２９】
暖房用往路５６は、給湯暖房ユニット８０を経由して、暖房端末９０に接続されている。給湯暖房ユニット８０は、燃焼式の熱源機であり、可燃性ガスを燃焼させる二つのバーナー８４、８６を有する。一方のバーナー８４は、給湯用のものであり、給湯管路８２を流れる上水を加熱する。他方のバーナー８６は、暖房用のものであり、必要に応じて、暖房用往路５６を流れる熱媒を加熱する。また、給湯暖房ユニット８０は、コントローラ８８を有している。給湯暖房ユニット８０には、暖房端末９０とタンクユニット２８との間で熱媒を循環させる循環ポンプ８７が設けられている。なお、循環ポンプ８７を設ける位置は、給湯暖房ユニット８０に限られず、例えばタンクユニット２８内に設けられていてもよい。また、暖房用往路５６のバーナー８６より下流には、バーナー出口サーミスタ８９が設けられている。バーナー出口サーミスタ８９は、コントローラ８８に接続されている。この構成によると、暖房用往路５６を通って暖房端末９０に送られる熱媒の温度が低すぎるときは、バーナー８６で暖房用往路５６を流れる熱媒を加熱することにより、暖房端末９０に送られる熱媒の温度を上昇させることができる。
【００３０】
暖房用往路５６と暖房用復路６０の間は、バイパス経路６４を介して接続されている。それにより、暖房用復路６０を流れる熱媒の一部又は全部を、タンク３０を経由することなく、暖房用往路５６へ送ることができるように構成されている。また、暖房用復路６０とバイパス経路６４との分岐位置には混合弁６６が設けられており、暖房用復路６０からバイパス経路６４を介して暖房用往路５６へ送られる熱媒の流量と、暖房用復路６０からタンク３０を介して暖房用往路５６へ送られる熱媒の流量の比率を調整できるようになっている。混合弁６６は、コントローラ５４に接続されており、その動作はコントローラ５４によって制御される。この構成によると、暖房用往路５６を通って暖房端末９０に送られる熱媒の温度が高すぎるときは、暖房用復路６０を流れる放熱後の熱媒を、暖房用往路５６を流れる熱媒に合流させることによって、暖房端末９０に送られる熱媒の温度を低下させることができる。
【００３１】
暖房用往路５６には、第１暖房往路サーミスタ４８、第２暖房往路サーミスタ５８が設けられている。第１暖房往路サーミスタ４８は、バイパス経路６４が暖房用往路５６に合流する合流点よりも上流側に設けられており、タンク３０から暖房用往路５６に送られる熱媒の温度を検出する。第２暖房往路サーミスタ５８は、バイパス経路６４が暖房用往路５６に合流する合流点よりも下流側に設けられており、タンク３０から暖房用往路５６に送られる熱媒とバイパス経路６４から暖房用往路５６に送られる熱媒が混合した後の温度を検出する。暖房用復路６０には、暖房復路サーミスタ６２が設けられている。暖房復路サーミスタ６２は、暖房用復路６０を流れる熱媒の温度を検出する。第１暖房往路サーミスタ４８、第２暖房往路サーミスタ５８および暖房復路サーミスタ６２は、コントローラ５４に接続されている。コントローラ５４は、第１暖房往路サーミスタ４８、第２暖房往路サーミスタ５８および暖房復路サーミスタ６２の検出温度に基づいて、混合弁６６の動作を制御することで、暖房端末９０に送られる熱媒の温度を所望の温度に調整することができる。
【００３２】
図２は、ヒートポンプユニット２０を運転しながら暖房を行うときの熱媒の流れを示している。図２に示すように、暖房端末９０には、タンク３０の上部から暖房用往路５６を通じて高温の熱媒が送られる。暖房端末９０に送られた高温の熱媒は、暖房端末９０において放熱した後に、暖房用復路６０を通じてタンク３０の下部へ戻される。一方、ヒートポンプユニット２０には、タンク３０の下部から蓄熱用往路３４を通じて低温の熱媒が送られる。ヒートポンプユニット２０に送られた低温の熱媒は、ヒートポンプユニット２０において加熱された後に、蓄熱用復路３２を通じてタンク３０の上部へ戻される。このように、ヒートポンプユニット２０の運転によってタンク３０の熱媒を循環加熱する運転を、タンクの沸上運転ともいう。ヒートポンプユニット２０のコントローラ２１は、蓄熱復路サーミスタ４６の検出温度が、沸上設定温度に近づくように、ヒートポンプユニット２０の圧縮機や膨脹弁、循環ポンプ２２の動作を制御する。沸上設定温度は、例えばコントローラ８８に接続されたリモコン（図示せず）等によって設定される。
【００３３】
図３は、暖房端末９０の要求する熱媒の温度に対して、タンク３０から暖房用往路５６に送られる熱媒の温度が高い場合の熱媒の流れを示している。この場合には、混合弁６６を制御して、暖房用復路６０からバイパス経路６４を介して暖房用往路５６へ送られる熱媒の流量を増加させ、暖房用復路６０からタンク３０を介して暖房用往路５６へ送られる熱媒の流量を減少させる。これにより、暖房用往路５６から暖房端末９０へ送られる熱媒の温度を、暖房端末９０の要求する熱媒の温度に調整することができる。暖房端末９０の要求する熱媒の温度が低下した場合でも、ヒートポンプユニット２０の加熱能力を変化させることなく、暖房端末９０における要求の変化に速やかに対応することができる。
【００３４】
図４は、暖房端末９０の要求する熱媒の温度に対して、タンク３０から暖房用往路５６に送られる熱媒の温度が低い場合の熱媒の流れを示している。この場合には、バーナー８６で暖房用往路５６を流れる熱媒を加熱する。バーナー８６における加熱量を調整することで、暖房用往路５６から暖房端末９０へ送られる熱媒の温度を、暖房端末９０の要求する熱媒の温度に速やかに調整することができる。暖房端末９０の要求する熱媒の温度が上昇した場合でも、ヒートポンプユニット２０の加熱能力を変化させることなく、暖房端末９０における要求の変化に速やかに対応することができる。
【００３５】
本実施例の給湯暖房システム１０では、暖房端末９０での暖房運転が行われており、かつタンクサーミスタ４２ａの検出温度が所定温度（例えば７５℃）以下である場合に、ヒートポンプユニット２０を始動する。これによって、ヒートポンプユニット２０を用いたタンク３０の沸上運転が実行される。
【００３６】
本実施例の給湯暖房システム１０は、ヒートポンプユニット２０が運転している際に、暖房端末９０における暖房運転が終了すると、ヒートポンプユニット２０を停止する。暖房端末９０における暖房運転が継続している場合でも、タンクサーミスタ４２ｂの検出温度が所定温度（例えば７５℃）を超えるか、あるいは蓄熱往路サーミスタ４４の検出温度が所定温度（例えば７０℃）を超えると、タンク３０の沸上が完了したと判断して、給湯暖房システム１０はヒートポンプユニット２０を停止する。
【００３７】
暖房負荷の状況によっては、ヒートポンプユニット２０が始動と停止を頻繁に繰り返す場合がある。ヒートポンプユニット２０が始動と停止を頻繁に繰り返すと、ヒートポンプユニット２０を構成する部品の劣化を早めてしまう。そこで、本実施例の給湯暖房システム１０は、図５の処理によって、ヒートポンプユニット２０が頻繁に発停を繰り返すおそれがある場合に、ヒートポンプユニット２０の発停回数を低減させる処理を行う。
【００３８】
ステップＳ２では、ヒートポンプユニット２０の始動回数のカウントを開始する時刻（カウント開始時刻）を決定する。
【００３９】
ステップＳ４では、カウント開始時刻となるまでカウントすることを待機する。
【００４０】
ステップＳ６では、ヒートポンプユニット２０の単位期間（例えば１日）の間で予測される始動回数が所定回数（例えば１０回）以上であるか否かを判断する。ヒートポンプユニット２０の単位期間における始動回数の予測は、例えば過去の実績に基づいて行うことができる。具体的には、例えば直前の単位期間（例えば前日）におけるヒートポンプユニット２０の始動回数を、今回の単位期間におけるヒートポンプユニット２０の始動回数の予測値として用いることができる。予測される始動回数が所定回数以上である場合（ステップＳ６でＹＥＳの場合）、処理はステップＳ８へ進む。予測される始動回数が所定回数を下回る場合（ステップＳ６でＮＯの場合）、処理はステップＳ１０へ進む。
【００４１】
ステップＳ８では、沸上設定温度を所定温度幅（例えば１０℃）上昇させる。これによって、その後のヒートポンプユニット２０を用いた沸上運転において、タンク３０に蓄熱可能な熱量を増加させることができる。
【００４２】
ステップＳ１０では、ヒートポンプユニット２０の始動回数のカウントを開始する。これ以降、ヒートポンプユニット２０が始動するごとに、始動回数が増加していく。
【００４３】
ステップＳ１２では、ヒートポンプユニット２０の始動回数が、第１所定回数（例えば１０回）に達したか否かを判断する。ヒートポンプユニット２０の始動回数が第１所定回数に達した場合（ステップＳ１２でＹＥＳの場合）、ステップＳ２２へ移行し、その後のヒートポンプユニット２０の始動を禁止する。これによって、今回の単位期間においてヒートポンプユニット２０の始動回数が第１所定回数を超えてしまうことを防止し、ヒートポンプユニット２０の始動回数を低減することができる。ヒートポンプユニット２０の始動回数が第１所定回数に達していない場合（ステップＳ１２でＮＯの場合）、ステップＳ１４へ移行する。
【００４４】
ステップＳ１４では、ヒートポンプユニット２０の始動回数が、第２所定回数（例えば５回）に達したか否かを判断する。第２所定回数は第１所定回数より少ない回数である。ヒートポンプユニット２０の始動回数が第２所定回数に達した場合（ステップＳ１４でＹＥＳの場合）、ステップＳ２０へ移行し、ヒートポンプユニット２０の沸上設定温度を所定温度幅（例えば１０℃）上昇させる。これによって、タンク３０への蓄熱量を増大させ、その後にヒートポンプユニット２０が始動するタイミングを遅らせることができる。ヒートポンプユニット２０の始動回数を低減することができる。また、ヒートポンプユニット２０の始動回数が第１所定回数に達してヒートポンプユニット２０の始動が禁止される事態の発生を抑制し、ヒートポンプユニット２０の利用割合を増加することができる。ヒートポンプユニット２０の始動回数が第２所定回数に達していない場合（ステップＳ１４でＮＯの場合）、ステップＳ１６へ移行する。
【００４５】
ステップＳ１６では、ヒートポンプユニット２０が始動してから停止するまでの時間（以下ではＨＰオン時間ともいう）が第１所定期間（例えば１時間）以下であるか否かを判断する。ＨＰオン時間が短いということは、短期間でヒートポンプユニット２０の始動と停止が行われたことを意味し、その後もヒートポンプユニット２０が頻繁な発停を繰り返すおそれがあることを意味している。ＨＰオン時間が第１所定期間以下である場合（ステップＳ１６でＹＥＳの場合）、ステップＳ２０へ移行し、ヒートポンプユニット２０の沸上設定温度を所定温度幅（例えば１０℃）上昇させる。これによって、タンク３０への蓄熱量を増大させ、その後にヒートポンプユニット２０が始動するタイミングを遅らせることができる。ヒートポンプユニット２０の始動回数を低減することができる。ＨＰオン時間が第１所定期間を超えている場合（ステップＳ１６でＮＯの場合）、ステップＳ１８へ移行する。
【００４６】
ステップＳ１８では、ヒートポンプユニット２０が始動してから停止して再び始動するまでの時間（以下ではＨＰオンオフ時間ともいう）が第２所定期間（例えば２時間）以下であるか否かを判断する。ＨＰオンオフ時間が短いということは、短期間でヒートポンプユニット２０の始動が繰り返されたことを意味し、その後もヒートポンプユニット２０が頻繁な発停を繰り返すおそれがあることを意味している。ＨＰオンオフ時間が第２所定期間以下である場合（ステップＳ１８でＹＥＳの場合）、ステップＳ２０へ移行し、ヒートポンプユニット２０の沸上設定温度を所定温度幅（例えば１０℃）上昇させる。これによって、タンク３０への蓄熱量を増大させ、その後にヒートポンプユニット２０が始動するタイミングを遅らせることができる。ヒートポンプユニット２０の始動回数を低減することができる。ＨＰオンオフ時間が第２所定期間を超えている場合（ステップＳ１８でＮＯの場合）、ステップＳ２４へ移行する。
【００４７】
ステップＳ２４では、カウント開始時刻からの経過時間が単位期間に達したか否かを判断する。カウント開始時刻からの経過時間が単位期間に達していない場合（ステップＳ２４でＮＯの場合）、処理はステップＳ１２へ戻る。カウント開始時刻からの経過時間が単位期間に達すると（ステップＳ２４でＹＥＳとなると）、図５の処理を終了する。
【００４８】
本実施例の給湯暖房システム１０では、単位期間におけるヒートポンプユニット２０の始動回数が第１所定回数に達すると、その後のヒートポンプユニット２０の始動を禁止する。これによって、ヒートポンプユニット２０が始動と停止を頻繁に繰り返す事態を抑制することができる。上記の給湯暖房システム１０によれば、ヒートポンプユニット２０を構成する部品の劣化を防ぐことができる。
【００４９】
本実施例の給湯暖房システム１０では、単位期間におけるヒートポンプユニット２０の始動回数が第２所定回数以上になると、ヒートポンプユニット２０の沸上設定温度を上昇させる。沸上設定温度を上昇させることで、タンク３０により高温の熱媒が蓄えられることになり、タンク３０の蓄熱量が増加する。これによって、その後にヒートポンプユニット２０を停止してから再始動するまでの期間を長くして、ヒートポンプユニット２０が始動と停止を頻繁に繰り返す事態を抑制することができる。上記の給湯暖房システム１０によれば、ヒートポンプユニット２０を構成する部品の劣化を防ぐことができる。また、ヒートポンプユニット２０の始動回数が第１所定回数に達して、ヒートポンプユニット２０の始動が禁止される事態の発生を抑制することができる。エネルギー効率の高いヒートポンプユニット２０の利用割合を増やすことができる。
【００５０】
本実施例の給湯暖房システム１０では、ＨＰオン時間が第１所定期間以下になると、ヒートポンプユニット２０の沸上設定温度を上昇させる。ＨＰオン時間が短いということは、ヒートポンプユニット２０の始動と停止が短時間で行われていることを意味し、その後も同様にヒートポンプユニット２０が短時間で始動と停止を繰り返すおそれがあることを意味する。そこで、本実施例の給湯暖房システム１０では、ＨＰオン時間が第１所定期間以下になると、ヒートポンプユニット２０の沸上設定温度を上昇させて、タンク３０の蓄熱量を増加させる。これによって、ヒートポンプユニット２０を停止してから再始動するまでの期間を長くして、ヒートポンプユニット２０が始動と停止を頻繁に繰り返す事態を抑制することができる。上記の給湯暖房システム１０によれば、ヒートポンプユニット２０を構成する部品の劣化を防ぐことができる。
【００５１】
本実施例の給湯暖房システム１０では、ＨＰオンオフ時間が第２所定期間以下になると、ヒートポンプユニット２０の沸上設定温度を上昇させる。ＨＰオンオフ時間が短いということは、ヒートポンプユニット２０の始動、停止および再始動が短い期間で行われていることを意味し、その後も同様にヒートポンプユニット２０が短時間で始動と停止を繰り返すおそれがあることを意味する。そこで、本実施例の給湯暖房システム１０では、ＨＰオンオフ時間が第２所定期間以下になると、ヒートポンプユニット２０の沸上設定温度を上昇させて、タンク３０の蓄熱量を増加させる。これによって、ヒートポンプユニット２０を停止してから再始動するまでの期間を長くして、ヒートポンプユニット２０が始動と停止を頻繁に繰り返す事態を抑制することができる。上記の給湯暖房システム１０によれば、ヒートポンプユニット２０を構成する部品の劣化を防ぐことができる。
【００５２】
なお、ステップＳ８およびステップＳ２０において、ヒートポンプユニット２０の沸上設定温度を上昇させる代わりに、タンク３０の沸上完了判定に用いるサーミスタをタンク３０のより下方に位置するサーミスタに切り替える（例えばタンクサーミスタ４２ｂからタンクサーミスタ４２ｃへ切り替える）構成としてもよい。この場合も、ヒートポンプユニット２０による沸上運転後のタンク３０の蓄熱量を増加させることができる。これによって、ヒートポンプユニット２０を停止してから再始動するまでの期間を長くして、ヒートポンプユニット２０が始動と停止を頻繁に繰り返す事態を抑制することができる。
【００５３】
なお、ステップＳ６において、予測されるヒートポンプの始動回数に基づいてタンク３０の蓄熱量を増加するか否かを判断する代わりに、タンク３０の蓄熱量を増加させた場合に予測されるエネルギー損失と、タンク３０の蓄熱量を増加させない場合に予測されるエネルギー損失を比較し、その比較結果に基づいてタンク３０の蓄熱量を増加させるか否かを判断する構成とすることもできる。以下では、予測されるエネルギー損失として、ヒートポンプユニット２０の始動に起因するエネルギー損失と、タンク３０からの放熱に起因するエネルギー損失と、ヒートポンプユニット２０の運転に起因するエネルギー損失を考慮する場合について説明する。
【００５４】
ヒートポンプユニット２０の始動に起因するエネルギー損失Ｌ１は、以下で計算される。
Ｌ１＝ヒートポンプユニット２０の始動エネルギー×予測されるヒートポンプユニット２０の始動回数
通常は、タンク３０の蓄熱量を増加させるためにヒートポンプユニット２０の沸上設定温度を上昇させると、ヒートポンプユニット２０の始動エネルギーは増加するものの、ヒートポンプユニット２０の始動回数が低減するため、エネルギー損失Ｌ１は減少する。
【００５５】
タンク３０からの放熱に起因するエネルギー損失Ｌ２は、以下で計算される。
Ｌ２＝タンク３０からの単位時間当たりの放熱量×ヒートポンプユニット２０の停止時間×予測されるヒートポンプユニット２０の停止回数
通常は、タンク３０の蓄熱量を増加させるためにヒートポンプユニット２０の沸上設定温度を上昇させると、タンク３０からの放熱量が増加するため、エネルギー損失Ｌ２は増加する。
【００５６】
ヒートポンプユニット２０の運転に起因するエネルギー損失Ｌ３は、以下で計算される。
Ｌ３＝ヒートポンプユニット２０での沸上熱量÷ヒートポンプユニット２０の運転効率
通常は、タンク３０の蓄熱量を増加させるためにヒートポンプユニット２０の沸上設定温度を上昇させると、ヒートポンプユニット２０での沸上熱量が増加し、かつヒートポンプユニット２０の運転効率が低下するため、エネルギー損失Ｌ３は増加する。
【００５７】
タンク３０の蓄熱量を増加させる場合とタンク３０の蓄熱量を増加させない場合のそれぞれについて、上記のエネルギー損失Ｌ１，Ｌ２，Ｌ３の和を算出し、タンク３０の蓄熱量を増加させた方がトータルのエネルギー損失が低いと判断される場合に、タンク３０の蓄熱量を増加させる。このような構成とすることによって、トータルのエネルギー損失を少なくする観点から、ヒートポンプの発停回数を減少させるか否かを判断することができる。
【００５８】
（第２実施例）
図６は第２実施例の給湯暖房システムを示している。図６に示すように、給湯暖房システム１００は、ヒートポンプユニット１２０と、タンクユニット１２８と、給湯暖房ユニット１８０と、暖房端末１９０を備えている。
【００５９】
ヒートポンプユニット１２０は、第１実施例のヒートポンプユニット１２０と同様の構成を備えている。ヒートポンプユニット１２０は、大気から吸熱して、タンクユニット１２８から送られる水を加熱するヒートポンプである。ヒートポンプユニット１２０には、ヒートポンプユニット１２０とタンクユニット１２８との間で水を循環させる循環ポンプ１２２が設けられている。循環ポンプ１２２を含むヒートポンプユニット１２０の構成機器の動作は、コントローラ１２１によって制御される。
【００６０】
タンクユニット１２８は、水を貯めるタンク１３０を備えている。本実施例のタンク１３０は、一例であるが、５０リットルの容量を有している。タンク３０には、高さ方向に沿って複数のタンクサーミスタ１４２ａ、１４２ｂ、１４２ｃが設けられている。タンクサーミスタ１４２ａ、１４２ｂ、１４２ｃは、コントローラ１５４に接続されている。コントローラ１５４は、タンクサーミスタ１４２ａ、１４２ｂ、１４２ｃによって検出された温度から、タンク１３０に貯められた熱量を把握することができる。また、コントローラ１５４は、ヒートポンプユニット１２０の始動回数をカウントするカウンタを備えている。
【００６１】
タンク１３０は、蓄熱用往路１３４と蓄熱用復路１３２を介して、ヒートポンプユニット１２０に接続されている。蓄熱用往路１３４は、タンク１３０からヒートポンプユニット１２０へ水を送る管路であり、タンク１３０の底部に接続されている。蓄熱用復路１３２は、ヒートポンプユニット１２０からタンク１３０へ水を戻す管路であり、タンク１３０の頂部に接続されている。蓄熱用往路１３４と蓄熱用復路１３２は、ヒートポンプユニット１２０とタンク１３０との間で水を循環させる循環経路を構成している。当該循環経路には、前述した循環ポンプ１２２が設けられている。
【００６２】
蓄熱用往路１３４には、手動弁１２４と、蓄熱往路サーミスタ１４４が設けられている。同様に、蓄熱用復路１３２にも、手動弁１２４と、蓄熱復路サーミスタ１４６が設けられている。蓄熱往路サーミスタ１４４と蓄熱復路サーミスタ１４６は、コントローラ１５４に接続されている。コントローラ１５４は、蓄熱往路サーミスタ１４４による検出温度から、ヒートポンプユニット１２０による加熱前の水の温度を把握し、蓄熱復路サーミスタ１４６による検出温度から、ヒートポンプユニット１２０による加熱後の水の温度を把握することができる。蓄熱復路サーミスタ１４６は、ヒートポンプユニット１２０による沸上温度を検出する沸上温度サーミスタということもできる。ヒートポンプユニット１２０が運転している際には、ヒートポンプユニット１２０のコントローラ１２１は、蓄熱復路サーミスタ１４６の検出温度が、沸上設定温度に近づくように、ヒートポンプユニット１２０の圧縮機や膨脹弁、循環ポンプ１２２の動作を制御する。
【００６３】
暖房端末１９０は、暖房用熱媒からの放熱により暖房を行う。本実施例では、暖房用熱媒は不凍液である。暖房端末１９０は、例えば、パネルヒータ、パネルラジエータ、床暖房、ファンコンベクタ、温水式ルームエアコンである。暖房端末１９０は、暖房用往路１５６と暖房用復路１６０を介して、熱交換器１１０に接続されている。熱交換器１１０は、タンク１３０からの高温の水と、暖房端末１９０からの低温の暖房用熱媒の間で熱交換を行う、ダブルウォール型の液・液熱交換器である。暖房用往路１５６は、熱交換器１１０から暖房端末１９０へ暖房用熱媒を送る管路である。暖房用復路１６０は、暖房端末１９０から熱交換器１１０へ暖房用熱媒を戻す管路である。暖房用往路１５６と暖房用復路１６０は、熱交換器１１０と暖房端末１９０との間で暖房用熱媒を循環させる循環経路を構成している。暖房用復路１６０の熱交換器１１０の入口近傍には、暖房復路サーミスタ１６２が設けられている。暖房用往路１５６の熱交換器１１０の出口近傍には、暖房往路サーミスタ１５８が設けられている。
【００６４】
タンク１３０は、放熱用往路１１２と、放熱用復路１１４を介して、熱交換器１１０に接続されている。放熱用往路１１２は、タンク１３０から熱交換器１１０へ水を送る管路であり、タンク１３０の上部に接続している。放熱用復路１１４は、熱交換器１１０からタンク１３０へ水を戻す管路であり、タンク１３０の底部に接続している。放熱用往路１１２と放熱用復路１１４は、熱交換器１１０とタンク１３０との間で水を循環させる循環経路を構成している。放熱用往路１１２の熱交換器１１０の入口近傍には、放熱往路サーミスタ１４８が設けられている。放熱用復路１１４には、循環ポンプ１１６が設けられている。循環ポンプ１１６の動作は、コントローラ１５４によって制御される。コントローラ１５４は、放熱往路サーミスタ１４８、暖房往路サーミスタ１５８および暖房復路サーミスタ１６２の検出温度に基づいて、循環ポンプ１１６の回転数を調整する。
【００６５】
暖房用往路１５６は、給湯暖房ユニット１８０を経由して、暖房端末１９０に接続されている。給湯暖房ユニット１８０は、燃焼式の熱源機であり、可燃性ガスを燃焼させる二つのバーナー１８４、１８６を有する。一方のバーナー１８４は、給湯用のものであり、必要に応じて、給湯管路１８２を流れる水を加熱する。給湯管路１８２のバーナー１８４より下流には、バーナー出口サーミスタ１８５が設けられている。バーナー出口サーミスタ１８５は、コントローラ１８８に接続されている。この構成によると、給湯管路１８２からの給湯温度が低すぎるときは、バーナー１８４で給湯管路１８２を流れる水を加熱することにより、給湯温度を上昇させることができる。他方のバーナー１８６は、暖房用のものであり、必要に応じて、暖房用往路１５６を流れる暖房用熱媒を加熱する。また、給湯暖房ユニット１８０は、コントローラ１８８を有している。給湯暖房ユニット１８０には、暖房端末１９０とタンクユニット１２８との間で暖房用熱媒を循環させる循環ポンプ１８７が設けられている。また、暖房用往路１５６のバーナー１８６より下流には、バーナー出口サーミスタ１８９が設けられている。バーナー出口サーミスタ１８９は、コントローラ１８８に接続されている。この構成によると、暖房用往路１５６を通って暖房端末１９０に送られる暖房用熱媒の温度が低すぎるときは、バーナー１８６で暖房用往路１５６を流れる暖房用熱媒を加熱することにより、暖房端末１９０に送られる暖房用熱媒の温度を上昇させることができる。
【００６６】
タンク１３０の底部には、上水道からの水をタンク１３０に供給する給水管路１０２が接続されている。給水管路１０２には、給水サーミスタ１０３が設けられている。タンク１３０の頂部には、タンク１３０の上部から高温の水を供給する高温水管路１０４が接続している。高温水管路１０４には、高温水サーミスタ１０５が設けられている。給水管路１０２からは、上水道からの低温の水を供給する低温水管路１０６が分岐している。高温水管路１０４と低温水管路１０６は、混合弁１０８に接続している。混合弁１０８において、高温水管路１０４からの高温の水と、低温水管路１０６からの低温の水が混合して、給湯管路１８２へ混合後の水が供給される。給湯管路１８２の混合弁１０８の近傍には、混合後の水温を検出する給湯サーミスタ１０９が設けられている。コントローラ１５４は、給水サーミスタ１０３、高温水サーミスタ１０５および給湯サーミスタ１０９の検出値に基づいて、混合弁１０８の開度を調整する。
【００６７】
本実施例の給湯暖房システム１００では、給湯運転または暖房運転が行われており、かつタンクサーミスタ１４２ａの検出温度が所定温度（例えば７５℃）以下である場合に、ヒートポンプユニット１２０を始動する。これによって、ヒートポンプユニット１２０を用いたタンク１３０の沸上運転が実行される。
【００６８】
本実施例の給湯暖房システム１００では、ヒートポンプユニット１２０が運転している際に、給湯運転および暖房運転が終了すると、ヒートポンプユニット１２０を停止する。給湯運転や暖房運転が継続している場合でも、タンクサーミスタ１４２ｂの検出温度が所定温度（例えば７５℃）を超えるか、あるいは蓄熱往路サーミスタ１４４の検出温度が所定温度（例えば７０℃）を超えると、タンク１３０の沸上が完了したと判断して、給湯暖房システム１００はヒートポンプユニット１２０を停止する。
【００６９】
第１実施例の給湯暖房システム１０と同様に、本実施例の給湯暖房システム１００においても、図５と同様の処理によって、ヒートポンプユニット１２０が頻繁に発停を繰り返すおそれがある場合に、ヒートポンプユニット１２０の発停回数を低減させることができる。これによって、ヒートポンプユニット１２０が頻繁に始動と停止を繰り返す事態を抑制して、ヒートポンプユニット１２０を構成する部品の劣化を防ぐことができる。
【００７０】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００７１】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７２】
１０  給湯暖房システム
２０  ヒートポンプユニット
２１  コントローラ
２２  循環ポンプ
２４  手動弁
２６  外気温サーミスタ
２８  タンクユニット
３０  タンク
３２  蓄熱用復路
３４  蓄熱用往路
４２ａ，４２ｂ，４２ｃ  タンクサーミスタ
４４  蓄熱往路サーミスタ
４６  蓄熱復路サーミスタ
４８  第１暖房往路サーミスタ
５０  排水管
５２  手動弁
５４  コントローラ
５６  暖房用往路
５８  第２暖房往路サーミスタ
６０  暖房用復路
６２  暖房復路サーミスタ
６４  バイパス経路
６６  混合弁
７０  膨張タンク
８０  給湯暖房ユニット
８２  給湯管路
８４，８６  バーナー
８７  循環ポンプ
８８  コントローラ
８９  バーナー出口サーミスタ
９０  暖房端末
１００  給湯暖房システム
１０２  給水管路
１０３  給水サーミスタ
１０４  高温水管路
１０５  高温水サーミスタ
１０６  低温水管路
１０８  混合弁
１０９  給湯サーミスタ
１１０  熱交換器
１１２  放熱用往路
１１４  放熱用復路
１１６  循環ポンプ
１２０  ヒートポンプユニット
１２１  コントローラ
１２２  循環ポンプ
１２４  手動弁
１２８  タンクユニット
１３０  タンク
１３２  蓄熱用復路
１３４  蓄熱用往路
１４２ａ，１４２ｂ，１４２ｃ  タンクサーミスタ
１４４  蓄熱往路サーミスタ
１４６  蓄熱復路サーミスタ
１４８  放熱往路サーミスタ
１５４  コントローラ
１５６  暖房用往路
１５８  暖房往路サーミスタ
１６０  暖房用復路
１６２  暖房復路サーミスタ
１８０  給湯暖房ユニット
１８２  給湯管路
１８４  バーナー
１８５  バーナー出口サーミスタ
１８６  バーナー
１８７  循環ポンプ
１８８  コントローラ
１８９  バーナー出口サーミスタ
１９０  暖房端末
【図１】
0005581361.tif 000002
【図２】
0005581361.tif 000003
【図３】
0005581361.tif 000004
【図４】
0005581361.tif 000005
【図５】
0005581361.tif 000006
【図６】
0005581361.tif 000007